(57)【要約】【課題】和音を発するうなり独楽と、発音体の組み合わせを適宜変えるための治具と、うなり独楽を回すためと、うなり独楽を組み立てるための治工具とを提供する。【解決手段】中心に角孔を設け、外周に発音孔２２を穿設した外径の異なる複数の空洞円筒状の発音体２を、その角孔を一致させて重ね合わせ、その角孔に、フランジと雄ねじを設けた軸棒１を挿通し、上記雄ねじにナット１５を螺合して上記重ね合わせた空洞円筒状の発音体２を一体にしてなる構成としたもので、上記軸棒１の前記角孔が嵌る部分を角軸とし、上記うなり独楽Ａを回すための棒状治具３は、その片端に上記軸棒１を受け入れる窪み３１を形成し、その窪み３１の中心に、うなり独楽Ａの軸棒１に巻き回した紐４を引き通す孔３２を穿設し、同棒状治具３の他端に上記うなり独楽Ａのナット１５を締め付けるスパナ３３を形成した治具を付加してなる。【選択図】図１
2005342103.tif 000002
【特許請求の範囲】
【請求項１】
中心に軸孔を設け、外周に発音孔を穿設した外径の異なる複数の空洞円筒状の発音体を、その軸孔を一致させて重ね合わせ、その軸孔に、フランジと雄ねじを設けた軸棒を、空回り阻止機構を介在させて挿通し、上記雄ねじにナットを螺合して上記重ね合わせた空洞円筒状の発音体を一体にしてなるうなり独楽。
【請求項２】
上記空回り阻止機構は、角孔と角軸、キーとキー溝、もしくはピンとピン孔で構成してなる請求項１に記載のうなり独楽。
【請求項３】
上記うなり独楽を回す棒状治具であって、その片端に上記軸棒を受け入れる窪みを形成し、その窪みの中心に、うなり独楽の軸棒に巻き回した紐を引き通す孔を穿設し、同棒状治具の他端に上記うなり独楽のナットを締め付けるスパナを形成した棒状治具を付加してなる請求項１または２に記載のうなり独楽。
【請求項４】
上記窪みの中心に穿設した孔に挿通した紐の端を、細い棒状体からなる握り棒の長さ方向の中央に穿設した小孔に引き通し、引き通した紐の先端を結び玉としてなる請求項１乃至３のいずれかに記載のうなり独楽。
【発明の詳細な説明】
【技術分野】
【０００１】
この発明はうなり独楽、とりわけ和音を発するうなり独楽に関する。
【背景技術】
【０００２】
郷土玩具として古くからうなり独楽があり、特許文献１で「中空円盤状発音部と、ウエイト部と、それらを連結する細首部とを備える。ウエイト部の重量を発音部の重量と略同一とする。発音部の円周壁に沿って、複数の空気切り用発音スリット部を開設する。細首部に紐状体を少なくとも一回巻き回して、その紐状体を左右に張りつつ傾斜させる。発音部とウエイト部が相互に水平方向に位置し、本考案の遊戯具は綱渡りしつつ回転する。発音部が高速で回転すると、発音スリット部から音が発生する。」ものが提案されている。
【０００３】
【特許文献１】実開平５−０７４５９２号公報（要約、図１）
【発明の開示】
【発明が解決しようとする課題】
【０００４】
上記提案では、同一の音階のうなり音を発するだけで、幾つかの音階の音を同時に発して和音を呈するものではない。
【０００５】
上記従来のうなり独楽に対し、この発明は和音を発するうなり独楽と、発音体の組み合わせを適宜変えることにより好みの和音を得ることができ、上記発音体の組み合わせを変えるための治工具とを提供することを課題とする。
【課題を解決するための手段】
【０００６】
上記課題を解決するためにこの発明は、中心に軸孔を設け、外周に発音孔を穿設した外径の異なる複数の空洞円筒状の発音体を、その軸孔を一致させて重ね合わせ、その軸孔に、フランジと雄ねじを設けた軸棒を、空回り阻止機構を介在させて挿通し、上記雄ねじにナットを螺合して上記重ね合わせた空洞円筒状の発音体を一体にしてなる構成とした（請求項１）もので、上記空回り阻止機構は、角孔と角軸、キーとキー溝、もしくはピンとピン孔で構成し（請求項２）、上記うなり独楽を回す治具として、全体形状が棒状治具で、その片端に上記軸棒を受け入れる窪みを形成し、その窪みの中心に、うなり独楽の軸棒に巻き回した紐を引き通す孔を穿設し、同棒状治具の他端に上記うなり独楽のナットを締め付けるスパナを形成した治具を付加し（請求項３）、上記窪みの中心に穿設した孔に挿通した紐の端を、細い棒状体からなる握り棒の長さ方向の中央に穿設した小孔に引き通し、引き通した紐の先端に結び玉を形成(請求項４）してなる。
【発明の効果】
【０００７】
上記の如く構成するこの発明によれば、大きさの異なる空洞円筒状の発音体を重ね合わせることにより音階の異なる和音が発せられる。また、うなり独楽を回す棒状治具により、回しやすくし、大きさの異なる空洞円筒状の発音体を重ね合わせて締め付けるとき、棒状治具でもって締め付けることができる。また、空洞円筒状の発音体を、幾つか用意し、適当に組み合わせることにより、いろいろな和音を楽しむことが出来る。
【発明を実施するための最良の形態】
【０００８】
次にこの発明の実施の形態について図面を参照しながら説明する。この発明に係るうなり独楽Ａは、軸棒１と、大きさの異なる空洞円筒状の発音体２と、うなり独楽を回す棒状治具３とからなり、その素材は、木、竹、金属板、プラスチックなどを適宜採用することができ、採用する素材に適した製造方法を採用する。
【０００９】
軸棒１は、その下端にフランジ１１と、それに続いて六角形の角軸１２、角軸１２に続いて雄ねじ１３があり、それから先は丸棒１４になっている。
【００１０】
空洞円筒状の発音体２は、大きさの異なる三個からなり、各発音体２とも中心に上記軸棒１の角軸１２と同形の角孔２１が設けられ、外周には中心線に対して傾斜したスリット状の発音孔２２が穿設されている。
【００１１】
上記軸棒１の上から、空洞円筒状の発音体２ａ，２ｂ，２ｃを大きい方から順に嵌め入れる。このとき、最初に嵌め入れた空洞円筒状の発音体２ａは、軸棒１のフランジ１１に受け止められ、角軸１２に角孔２１が嵌り合って空回りしないようになり、最後に嵌め入れた空洞円筒状の発音体２ｃは軸棒１の雄ねじ１３に螺合したナット１５により締め付けられて一体となる。なお、ナット１５を螺合するときワッシャ１６を介在させることが好ましい。
【００１２】
上記実施形態では、軸棒と発音体とが空回りしないように角孔と角軸とを組み合わせたが、空回りを阻止する構造として、キーとキー溝とすることができ、この他、発音体の高さに合わせて軸棒にピンを打ち込み、発音体の上面・下面の両方、または一方に上記打ち込んだピンが嵌るピン孔を設けた構造とすることもできる。
【００１３】
うなり独楽Ａを回すのに用いる棒状治具３は、その片端に上記軸棒１を受け入れる窪み３１を形成し、その窪み３１の中心に、うなり独楽Ａの軸棒１に巻き回した紐４を引き通す孔３２が穿設され、同棒状治具３の他端に上記うなり独楽Ａのナット１５を締め付けるスパナ３３を形成している。
【００１４】
うなり独楽Ａを回す紐４は、上記棒状治具３の窪み３１の中心に穿設した孔３２を貫通し、その紐４の端は、握り棒５の長さ方向中央に穿設した小孔５１に引き通し、引き通した紐４の先端に結び玉４１を形成して抜けないようになっており、紐４の反対側の端にも結び玉４１が作られている。
【００１５】
うなり独楽Ａを回すときは、発音体２の上に伸びた軸棒１に、紐端の結び玉４１を利用して紐４を軸棒１に絡みつかせ、その紐４を軸棒１に巻き回し、該軸棒１に棒状治具３の窪み３１の部分を宛がい、棒状治具３と軸棒１とを支えながら紐４を強く引くと、うなり独楽Ａが勢いよく回転する。
【００１６】
なお、上記説明では、軸棒１の発音体２寄りから紐４を巻き回したが、図５に示すように、軸棒１の頂部に設けた割り込み１７に紐４の結び玉４１を引っかけ軸棒１に巻き回すようにすることもできる。このようにすると、紐４が巻き回し易くなり、うなり独楽を回した後、紐４の終端が軸棒１から離れ易くなる。
【００１７】
また、上記重ね合わせた大きさの異なる発音体２ａ，２ｂ，２ｃの組み合わせを変えるときは、棒状治具３のスパナ３３を利用して、ナット１５を緩め、他の大きさの発音体と取り替えて、再びナット１５を螺合して締め付け、発音体の組み合わせを変えることができる。
【００１８】
なお、上記発音体は、高さをほぼ同一にし、異なる外径にして発音体の大きさを変えたが、要するに発音体の内容積が変われば発するうなり音が変化するのであるから外径を固定して高さを変えることもできる。さらに、一つの発音体の内部を幾つかの容積の異なる部屋に区切り、その各部屋の外周面に発音孔を設けるようにすることもできる。
【００１９】
さらに、発音体を金属板で形成するときは、その発音孔の内周面に、ごく幅の狭い金属リボンを沿わせ、半田付け（蝋付け）して発音孔に厚みを持たせる必要がある。
【産業上の利用可能性】
【００２０】
以上説明したようにこの発明によれば、任意の音階の音を発する発音体の組み合わせで、協和音、不協和音を発するうなり独楽となり、棒状治具によってうなり独楽を確実に回すことが出来、発音体の組み合わせを変えるときは、棒状治具のスパナ部分を利用してナットを緩め、発音体の組み合わせを適宜変えることができる。
【図面の簡単な説明】
【００２１】
【図１】この発明に係るうなり独楽の斜視図
【図２】（ａ）同うなり独楽の正面図、（ｂ）同底面図、（ｃ）同上面図
【図３】同独楽部分の分解斜視図
【図４】棒状治具をスパナとする説明図
【図５】軸棒頂部の割り込みを利用して紐を巻き回した状態図
【符号の説明】
【００２２】
Ａ  うなり独楽
１  軸棒
１１  フランジ
１２  角軸
１３  雄ねじ
１４  丸棒
１５  ナット
１６  ワッシャ
１７  割り込み
２  発音体
２ａ  発音体（大）
２ｂ  発音体（中）
２ｃ  発音体（小）
２１  角孔
２２  発音孔
３  棒状治具
３１  窪み
３２  孔
３３  スパナ
４  紐
４１  結び玉
５  握り棒
５１  小孔
【図１】
2005342103.tif 000003
【図２】
2005342103.tif 000004
【図３】
2005342103.tif 000005
【図４】
2005342103.tif 000006
【図５】
2005342103.tif 000007